(57)【要約】      （修正有）【課題】抽気及び自動封緘の機能を有する真空式封緘機構造を提供する。【解決手段】真空式封緘機構造は、シールユニット１０、圧着ユニット２０、抽気ユニット３０及び筐体４０を備える。シールユニット１０は、接続杆１１、電磁石１２及び上押圧板１３を有する。接続杆１１は、下向きの略コ字状を呈するとともに、固定部材を有して端部に連結孔１１３がそれぞれ設けられている。電磁石１２が固定部材に挿着され、電磁石１２が固定軸を介して接続杆１１に螺着される。上押圧板１３は、底部に接着面が設けられ、電磁石１２を通電して励磁により生じた吸引力により上押圧板１３が下方へ吸引される。圧着ユニット２０は、接続杆２１、電磁石２２、上押圧板２３及び枢着部２４を有する。抽気ユニット３０は、伝動装置３１及び吸気装置３２を含む。【選択図】図２
0003182424.tif 000002
【実用新案登録請求の範囲】
【請求項１】
シールユニット、圧着ユニット、抽気ユニット及び筐体を備えた真空式封緘機構造であって、
前記シールユニットは、接続杆、電磁石及び上押圧板を有し、前記接続杆は、下向きの略コ字状を呈するとともに、固定部材を有して端部に連結孔がそれぞれ設けられ、前記電磁石が前記固定部材に挿着され、前記電磁石が固定軸を介して前記接続杆に螺着され、前記上押圧板の底部に接着面が設けられ、前記電磁石を通電して励磁により生じた吸引力により前記上押圧板を下方へ吸引し、
前記圧着ユニットは、接続杆、電磁石、上押圧板及び枢着部を有し、前記接続杆は、下向きの略コ字状を呈して両側にドローバーを有するとともに後部に取り付け孔が設けられ、前記取り付け孔は、前記シールユニットの前記連結孔に対応し、前記接続杆の２つは、前記枢着部内に配置され、前記接続杆の前部内側の適宜な箇所には、支持部材が設けられ、前記支持部材により前記シールユニットの前記接続杆を支持し、前記支持部材により前記シールユニットを復位させ、前記上押圧板は、前記電磁石を通電して励磁により生じた吸引力により、前記上押圧板を下方へ吸引し、
前記抽気ユニットは、伝動装置及び吸気装置を含み、前記伝動装置は、前記吸気装置を前進させたり後退させたりすることが可能であり、
前記筐体には、内側に収納部を有する台座が設けられ、前記収納部には、前記シールユニット、前記圧着ユニット及び前記抽気ユニットが配置され、前記収納部前には封緘部が設けられ、前記封緘部上には気密長尺部材が配置され、前記気密長尺部材の内側には、前記気密長尺部材に対して平行な長尺状ヒーターが設けられ、
シール袋を前記気密長尺部材上に設置してから前記伝動装置により前記吸気装置を前進させて前記シール袋内へ挿入し、前記圧着ユニットを前記シール袋へ強く押し付けながら前記吸気装置により前記シール袋内の空気を吸い取り、前記シールユニットにより封緘して接着することにより真空状態を形成し、前記圧着ユニットの復位とともに前記シールユニットが復位することを特徴とする真空式封緘機構造。
【請求項２】
前記伝動装置は、伝動部、電動モータ、貫通孔、伝動軸、伝動座、位置決め孔、歯車及びスライドレールを有し、
前記伝動部は、前記伝動軸により動力を伝える前記電動モータを有し、前記伝動座が取り付けられて前記歯車が枢着され、前記伝動座と前記歯車との間に前記伝動部を取り付け、前記伝動座上には、前記スライドレールが互いに平行にそれぞれ設けられていることを特徴とする請求項１に記載の真空式封緘機構造。
【請求項３】
前記吸気装置は、吸気部、吸気管、ダブテール溝、通気孔及び吸気孔を有し、
前記吸気部は、伝動軸に枢着され、前端に前記吸気孔を有する前記吸気管が前部に取り付けられるとともに、前記伝動軸に枢着され、前記伝動軸の駆動により往復運動することを特徴とする請求項１に記載の真空式封緘機構造。
【考案の詳細な説明】
【技術分野】
【０００１】
本考案は、封緘機に関し、特に、抽気及び自動封緘の機能を有する真空式封緘機構造に関する。
【背景技術】
【０００２】
現代社会では封緘機が様々な分野で使用されており、食品、金具部品など様々な物が封緘機により包装されている。しかし食品の場合、従来の封緘方式では鮮度を保持する能力が十分でなかったため、関連メーカにより真空式封緘機が開発された。真空包装方式を利用した場合、食品が空気中に含まれるカビに触れることを防ぎ、食品の保存期間を延ばすことができるが、現在販売されている各種封緘機では従来の手動方式が利用されている上、気圧を動力とする気圧シリンダを外付けしなければならないため使い勝手が悪かった。特許文献１の包装封緘機は、制御台、前後の搬送台、シールアンドカット装置及び膜ピンチ装置から構成され、特に、膜ピンチ装置が移動式ラックに固定され、移動式ラックの周囲に固定座が設けられている。この固定座は、本体両側に互いに対応するように設けられた停止杆に枢着され、移動式ラックの下端両側部に昇降装置が設けられている。この昇降装置の気圧シリンダは、底端が本体に固定され、上端に支持杆が接続され、支持杆の両端を移動式ラックに固定させる。本体には、制御ハンドルが設けられ、制御ハンドルを回して気圧シリンダの昇降を調整して移動式ラックを上下に移動させ、移動式ラックに固定されたシールアンドカット装置の高さを調整する。上述したことから分かるように、特許文献１は、気圧を動力として封緘機を作動させることができるが、気圧シリンダを動力源とすることが欠点である上、空気圧縮機を外付けしなければならないため煩雑であり、高コストで経済性が低かった。
【０００３】
そのため、従来技術の欠点が無い上、使い勝手が良い真空式封緘機構造が求められていた。
【先行技術文献】
【特許文献】
【０００４】
【特許文献１】台湾実用新案登録第３１５６９８号公報
【考案の概要】
【考案が解決しようとする課題】
【０００５】
本考案は、電磁石の励磁により生じた吸引力を封緘機の動力として用い、吸気装置を組み合わせることにより、真空抽気を行うとともに、加熱・加圧により二重に封緘し、封緘工程を自動化して高い生産効率を得る真空式封緘機構造を提供することを課題とする。
本考案は、２つの接続杆を２つの上押圧板へそれぞれ接続し、抽気工程と封緘工程とをそれぞれ別々に行って気密状態を形成する真空式封緘機構造を提供することをもう一つの課題とする。
【課題を解決するための手段】
【０００６】
上記課題を解決するために、本考案の第１の形態によれば、シールユニット、圧着ユニット、抽気ユニット及び筐体を備えた真空式封緘機構造であって、前記シールユニットは、接続杆、電磁石及び上押圧板を有し、前記接続杆は、下向きの略コ字状を呈するとともに、固定部材を有して端部に連結孔がそれぞれ設けられ、前記電磁石が前記固定部材に挿着され、前記電磁石が固定軸を介して前記接続杆に螺着され、前記上押圧板の底部に接着面が設けられ、前記電磁石を通電して励磁により生じた吸引力により前記上押圧板を下方へ吸引し、前記圧着ユニットは、接続杆、電磁石、上押圧板及び枢着部を有し、前記接続杆は、下向きの略コ字状を呈して両側にドローバーを有するとともに後部に取り付け孔が設けられ、前記取り付け孔は、前記シールユニットの前記連結孔に対応し、前記接続杆の２つは、前記枢着部内に配置され、前記接続杆の前部内側の適宜な箇所には、支持部材が設けられ、前記支持部材により前記シールユニットの前記接続杆を支持し、前記支持部材により前記シールユニットを復位させ、前記上押圧板は、前記電磁石を通電して励磁により生じた吸引力により、前記上押圧板を下方へ吸引し、前記抽気ユニットは、伝動装置及び吸気装置を含み、前記伝動装置は、前記吸気装置を前進させたり後退させたりすることが可能であり、前記筐体には、内側に収納部を有する台座が設けられ、前記収納部には、前記シールユニット、前記圧着ユニット及び前記抽気ユニットが配置され、前記収納部前には封緘部が設けられ、前記封緘部上には気密長尺部材が配置され、前記気密長尺部材の内側には、前記気密長尺部材に対して平行な長尺状ヒーターが設けられ、シール袋を前記気密長尺部材上に設置してから前記伝動装置により前記吸気装置を前進させて前記シール袋内へ挿入し、前記圧着ユニットを前記シール袋へ強く押し付けながら前記吸気装置により前記シール袋内の空気を吸い取り、前記シールユニットにより封緘して接着することにより真空状態を形成し、前記圧着ユニットの復位とともに前記シールユニットが復位することを特徴とする真空式封緘機構造が提供される。
【０００７】
前記伝動装置は、伝動部、電動モータ、貫通孔、伝動軸、伝動座、位置決め孔、歯車及びスライドレールを有し、前記伝動部は、前記伝動軸により動力を伝える前記電動モータを有し、前記伝動座が取り付けられて前記歯車が枢着され、前記伝動座と前記歯車との間に前記伝動部を取り付け、前記伝動座上には、前記スライドレールが互いに平行にそれぞれ設けられていることが好ましい。
【０００８】
前記吸気装置は、吸気部、吸気管、ダブテール溝、通気孔及び吸気孔を有し、前記吸気部は、伝動軸に枢着され、前端に前記吸気孔を有する前記吸気管が前部に取り付けられるとともに、前記伝動軸に枢着され、前記伝動軸の駆動により往復運動することが好ましい。
【考案の効果】
【０００９】
本考案の真空式封緘機構造は、電子回路を組み合わせるだけでシール袋の封緘工程を行うことができ、空気圧縮機を外付けせずに真空抽気を行うことができるとともに、加熱・加圧により封緘を二重に行い、封緘の質が良好で封緘工程を簡素化させることができる。
【図面の簡単な説明】
【００１０】
【図１】図１は、本考案の一実施形態に係る真空式封緘機構造を示す斜視図である。
【図２】図２は、本考案の一実施形態に係る真空式封緘機構造を示す分解斜視図である。
【図３】図３は、本考案の一実施形態に係る真空式封緘機構造のシールユニットを示す分解斜視図である。
【図４】図４は、本考案の一実施形態に係る真空式封緘機構造の圧着ユニットを示す分解斜視図である。
【図５】図５は、本考案の一実施形態に係る真空式封緘機構造の抽気ユニットを示す分解斜視図である。
【図６】図６は、本考案の一実施形態に係る真空式封緘機構造の待機状態を示す断面図である。
【図７】図７は、本考案の一実施形態に係る真空吸気を行うときの状態を示す動作図である。
【図８】図８は、本考案の一実施形態に係る封緘工程を行うときの状態を示す動作図である。
【考案を実施するための形態】
【００１１】
以下、本考案の真空式封緘機構造の実施形態について、図面を参照しながら説明する。
【００１２】
図１〜図８を参照する。図１〜図８に示すように、本考案の一実施形態に係る真空式封緘機構造は、少なくともシールユニット１０、圧着ユニット２０、抽気ユニット３０及び筐体４０から構成される。
【００１３】
図２及び図３を参照する。図２及び図３に示すように、シールユニット１０は、接続杆１１、電磁石１２及び上押圧板１３を含む。接続杆１１は、下向きの略コ字状を呈し、圧着ユニット２０の支持部材２１５上に前端が当接され、接続杆１１の側部に固定部材１１１がそれぞれ設けられる。固定部材１１１は、電磁石１２の凹溝１２１へ挿着される。電磁石１２が固定部材１１１に挿着されると、固定部材１１１上に設けられた固定孔１１２が電磁石１２の接続孔１２２に対して水平となり、固定軸１２３により電磁石１２が接続杆１１に螺着される。接続杆１１は、圧着ユニット２０を接続するために用いる連結孔１１３を後部にそれぞれ有し、平面部１１４を前部に有する。平面部１１４には、上押圧板１３の結合面１３１が連結固定され、上押圧板１３の底部には接着面１３２が設けられ、電磁石１２を通電して励磁により生じる吸引力により上押圧板１３を下方へ吸引し、結合面１３１を封緘部４３の長尺状ヒーター（ｈｅａｔｅｒ  ｓｔｒｉｐ）４５へ強く押し付け簡便に封緘工程を行うことができる。
【００１４】
図２及び図４を参照する。図２及び図４に示すように、圧着ユニット２０は、少なくとも接続杆２１、電磁石２２、上押圧板２３及び枢着部２４から構成される。接続杆２１は、下向きの略コ字状を呈し、圧着ユニット２０は、枢着部２４により筐体４０内に連結固定される。接続杆２１は、シールユニット１０の接続杆１１より寸法が大きく、接続杆１１を接続杆２１内に枢着させて接続杆２１の両側にはドローバー２１１がそれぞれ設けられている。ドローバー２１１は、電磁石２２の凹溝２２１に挿着される。電磁石２２がドローバー２１１に挿着されると、ドローバー２１１上に設けられた固定孔２１２が、電磁石２２の連結孔２２２に対して水平となり、固定軸２２３を用いて電磁石２２を接続杆２１へ螺着させ、接続杆２１の後部に取り付け孔２１３がそれぞれ設けられている。取り付け孔２１３は、シールユニット１０の接続杆１１の連結孔１１３に対応する。２つの接続杆１１，２１は、枢着部２４内に設置され、連結孔１１３、取り付け孔２１３及び枢着部２４の枢着孔２４１がそれぞれ水平に設けられ、枢着軸２４２により接続杆１１を接続杆２１内に枢着させるとともに、シールユニット１０を圧着ユニット２０内に枢着させ、接続杆２１の前方内側の適宜な箇所に支持部材２１５を設ける。この支持部材２１５は、シールユニット１０の接続杆１１を支持するために用い、接続杆１１が重力の影響を受けて下がることを防ぐ。封緘工程が完了した後、圧着ユニット２０は、支持部材２１５を利用してシールユニット１０を復位させる。接続杆２１は、前方に平面部２１４を有する。平面部２１４には、上押圧板２３の結合面２３１が連結固定されるとともに、上押圧板２３の底部に圧着面２３２が設けられ、電磁石２２を通電して励磁により生じる吸引力により、上押圧板２３を下方へ吸引し、圧着面２３２が封緘部４３の気密長尺部材（ａｉｒｐｒｏｏｆ  ｓｔｒｉｐ）４４に触れることを防ぐとともに、抽気ユニット３０により、シール袋内部の空気を吸い出す吸気工程を行う。
【００１５】
図２及び図５を参照する。図２及び図５に示すように、抽気ユニット３０は、伝動装置３１及び吸気装置３２を含む。伝動装置３１は、少なくとも伝動部３１１、電動モータ３１２、貫通孔３１３、伝動軸３１４、伝動座３１５、軸孔３１６、位置決め孔３１７、歯車３１８、スライドレール３１９から構成される。伝動部３１１は、電動モータ３１２が適宜な箇所に設けられるとともに、伝動軸３１４を挿設させる貫通孔３１３が、電動モータ３１２に隣接した箇所に設けられる。伝動軸３１４は、一方の端部に設けられた後軸３１４１が伝動座３１５の軸孔３１６に挿設され、他方の端部に設けられた前軸３１４２が伝動座３１５の位置決め孔３１７に挿設され、伝動軸３１４が伝動座３１５内に枢着され、伝動座３１５が伝動部３１１に取り付けられるとともに、伝動軸３１４の前軸３１４２を貫通孔３１３へ貫設させて歯車３１８に枢着させ、伝動部３１１を伝動座３１５と歯車３１８との間に取り付ける。伝動座３１５の上部には、互いに平行なスライドレール３１９が設けられる。これらのスライドレール３１９は、吸気装置３２のダブテール溝３２３に対応する。吸気装置３２は、少なくとも吸気部３２１、吸気管３２２、ダブテール溝３２３、通気孔３２４、吸気孔３２５から構成される。吸気部３２１は、伝動軸３１４に枢着され、前方に吸気管３２２が設けられる。吸気管３２２は、前端に吸気孔３２５が設けられ、伝動装置３１のスライドレール３１９に対応するダブテール溝３２３が下方に設けられ、伝動装置３１が伝動軸３１４に枢着されると、伝動座３１５のスライドレール３１９上にダブテール溝３２３が位置し、吸気部３２１が伝動軸３１４により往復運動可能となる。吸気部３２１は、上方に通気孔３２４が設けられ、管線を介して排気装置と空気洗浄機（従来技術であるため、ここでは詳しく述べずに図示もしない）とを接続し、封緘した包装袋内の空気を全て吸い取る。この構成により、電動モータ３１２により歯車３１８を回転させると伝動軸３１４が作動して吸気部３２１を前進させたり後退させたりすることが可能であり、吸気管３２２を前方へ変位させて吸気孔３２５をシール袋内へ挿入すると、電磁石２２を通電して励激により生じた吸引力により上押圧板２３を下方へ吸引し、吸気管３２２を圧着面２３２と気密長尺部材４４との間に位置させ、吸気孔３２５により吸気を行う。吸気工程が完了して吸気装置３２を停止させた後、伝動軸３１４により吸気装置３２を完全に引き込み、圧着面２３２を気密長尺部材４４へ接触させ、電磁石１２の励磁により生じた吸引力により接続杆１１を作動させて上押圧板１３を下方へ吸引し、上押圧板１３の結合面１３１を封緘部４３の長尺状ヒーター４５へ強く押し付けてヒートシールによる密封を行い、真空封緘工程が完了する。圧着ユニット２０の接続杆２１の前部内側の適宜な箇所には、シールユニット１０の接続杆１１を支持し、圧着ユニット２０が復位するときにシールユニット１０を一緒に復位させる支持部材２１５が設けられている。
【００１６】
図２を参照する。図２に示すように、筐体４０は、台座４１を含む。台座４１は、シールユニット１０、圧着ユニット２０及び抽気ユニット３０を枢着して設置する収納部４２を有する。収納部４２は、前方に封緘部４３が設けられている。封緘部４３上には気密長尺部材４４が配置されている。気密長尺部材４４は、圧着ユニット２０の上押圧板２３の圧着面２３２に対応して圧着させると高い気密性を得ることができる。気密長尺部材４４の内側には、長尺状ヒーター４５が平行に設けられる。この長尺状ヒーター４５は、シールユニット１０の上押圧板１３の接着面１３２に対応し、ヒートシールにより密封を行う。
【００１７】
図６〜図８を参照する。図６〜図８に示すように、封緘機が待機状態である場合、封緘部４３の上方に位置する上押圧板１３，２３は自然に開いた状態である。抽気ユニット３０の吸気装置３２は、伝動装置３１が筐体４０内に引き込まれていないとき（図６参照）、封緘するシール袋５０を封緘部４３の気密長尺部材４４上に置いて伝動装置３１の電動モータ３１２を駆動させると歯車３１８が回転し、伝動軸３１４の作動により吸気部３２１が前進し、吸気管３２２を前方へ変位させて吸気孔３２５をシール袋５０内へ挿入させると、筐体４０内で互いに対応した電磁石２２が通電されて励磁作用が生じ、接続杆２１が下方に牽引されると上押圧板２３が同期で下向きに変位し、封緘部４３の気密長尺部材４４と密着される。シール袋５０の背部が強く押し付けられると、吸気装置３２によりシール袋５０内の空気を吸い取る吸気工程が行われる（図７参照）。抽気工程が完了した後、伝動装置３１の電動モータ３１２を駆動して歯車３１８を回転させ、伝動軸３１４により吸気部３２１を後退させ、吸気装置３２が引き込まれてシール袋から出されるとともに封緘工程を開始する。電磁石１２の励磁により生じた吸引力により接続杆１１を作動させて上押圧板１３を下方へ吸引し、上押圧板１３の結合面１３１を封緘部４３の長尺状ヒーター４５へ強く押し付けてヒートシールによる密封を行って真空封緘工程を行い（図８参照）、圧着ユニット２０の接続杆２１に設けられた支持部材２１５により、シールユニット１０の接続杆１１が支持されているため、圧着ユニット２０が復位するとシールユニット１０も復位する。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  真空式封緘機構造構造
１０  シールユニット 
１１  接続杆
１２  電磁石
１３  上押圧板
２０  圧着ユニット
２１  接続杆
２２  電磁石
２３  上押圧板
２４  枢着部
３０  抽気ユニット
３１  伝動装置
３２  吸気装置
４０  筐体
４１  台座
４２  収納部
４３  封緘部
４４  気密長尺部材
４５  長尺状ヒーター
５０  シール袋
１１１  固定部材
１１２  固定孔
１１３  連結孔
１１４  平面部
１２１  凹溝
１２２  接続孔
１２３  固定軸
１３１  結合面
１３２  接着面
２１１  ドローバー
２１２  固定孔
２１３  取り付け孔
２１４  平面部
２１５  支持部材
２２１  凹溝
２２２  連結孔
２２３  固定軸
２３１  結合面
２３２  圧着面
２４１  枢着孔
２４２  枢着軸
３１１  伝動部
３１２  電動モータ
３１３  貫通孔
３１４  伝動軸
３１５  伝動座
３１６  軸孔
３１７  位置決め孔
３１８  歯車
３１９  スライドレール
３２１  吸気部
３２２  吸気管
３２３  ダブテール溝
３２４  通気孔
３２５  吸気孔
３１４１  後軸
３１４２  前軸
【図１】
0003182424.tif 000003
【図２】
0003182424.tif 000004
【図３】
0003182424.tif 000005
【図４】
0003182424.tif 000006
【図５】
0003182424.tif 000007
【図６】
0003182424.tif 000008
【図７】
0003182424.tif 000009
【図８】
0003182424.tif 000010